(57)【要約】【課題】  規格の異なる多種類のメモリーカードホストコントローラに対応できる不揮発性メモリーカードを提供する。【解決手段】  ２つ以上の異なる規格のメモリーカードコントローラと、外からの切り替えによりメモリーカードコントローラのうちの一つを有効な状態にするメモリーカードコントローラ切替スイッチと、有効な状態であるメモリーカードコントローラの制御により外部の装置からデータを読み込まれ若しくは書き込まれる不揮発性メモリーを含む不揮発性メモリーカードを提供する。【選択図】図１
2006268459.tif 000002
【特許請求の範囲】
【請求項１】
２つ以上の異なる規格のメモリーカードコントローラと、
外部からの切り替えによりメモリーカードコントローラのうちの一つを有効な状態にするメモリーカードコントローラ切替スイッチと、
有効な状態であるメモリーカードコントローラの制御により外部の装置からデータを読み取られ若しくは書き込まれる不揮発性メモリーを含む不揮発性メモリーカード。
【請求項２】
メモリーカードホスト装置と接続する際に形状変換アダプタが利用され、
形状変換アダプタ内の所定の位置に挿入されたとき、形状変換アダプタに備わるスイッチの作用により、メモリーカードコントローラ切替スイッチが切り替えられることを特徴とする請求項１に記載の不揮発性メモリーカード。
【請求項３】
不揮発性メモリーカードを内部に挿入した上でメモリーカードホスト装置に挿入されて不揮発性メモリーカードとメモリーカードホスト装置との間のデータ伝送を媒介する形状変換アダプタにおいて、
不揮発性メモリーカードが所定の位置に挿入されたとき、不揮発性メモリーカードに備わるスイッチを切り替えるメモリーカードタイプ切替スイッチを備えることを特徴とする形状変換アダプタ。
【請求項４】
２つ以上の異なる規格のメモリーカードコントローラと、
外部からの信号を解析して解析結果に基づいてメモリーカードコントローラのうちの一つを有効な状態にするインターフェースコントローラと、
有効な状態であるメモリーカードコントローラの制御により外部の装置からデータを読み取られ若しくは書き込まれる不揮発性メモリーを含む不揮発性メモリーカード。
【請求項５】
２つ以上の異なる規格のメモリーカードコントローラと、
切替制御信号によりメモリーカードコントローラのうちの一つを有効な状態にするメモリーカードコントローラ切替回路と、
外部からの信号を解析して解析結果に基づいてメモリーカードコントローラ切替回路に対する切替制御信号を生成するインターフェースコントローラと、
有効な状態であるメモリーカードコントローラの制御により外部の装置からデータを読み込まれ若しくは書き込まれる不揮発性メモリーを含む不揮発性メモリーカード。
【請求項６】
２つ以上の異なる規格のメモリーカードコントローラと、
外部からの信号を解析して解析結果に基づいてメモリーカードコントローラのうちの一つを有効な状態にするインターフェースコントローラと、
外部からの切り替えによりメモリーカードコントローラのうちの一つを有効な状態にするメモリーカードコントローラ切替スイッチと、
有効な状態であるメモリーカードコントローラの制御により外部の装置からデータを読み取られ若しくは書き込まれる不揮発性メモリーを含む不揮発性メモリーカードにおいて、
インターフェースコントローラでの信号解析に基づき有効な状態にするメモリーカードコントローラを決定しようとし、それで決定しない場合にメモリーカードコントローラ切替スイッチの状態から有効な状態にするメモリーカードコントローラを決定することを特徴とする不揮発性メモリーカード。
【請求項７】
不揮発性メモリーカードが形状変換アダプタに接続され、その形状変換アダプタがメモリーカードホスト装置に接続されて行われるメモリーカードホスト装置と不揮発性メモリーカードとの間のデータ伝送において、
形状変換アダプタに備わる第１のスイッチが、不揮発性メモリーカードに備わる第２のスイッチに作用し、
第２のスイッチへの作用に基づいて、不揮発性メモリーカードに複数備わるメモリーカードコントローラのうちの一つを選択して有効な状態にすることを特徴とするメモリーカードホスト装置と不揮発性メモリーカードとの間のデータ伝送方法。
【請求項８】
不揮発性メモリーカードがメモリーカードホスト装置に接続されて行われるメモリーカードホスト装置と不揮発性メモリーカードとの間のデータ伝送において、
メモリーカードホスト装置からの信号を解析し、その解析結果に基づいて不揮発性メモリーカードに複数備わるメモリーカードコントローラのうちの一つを選択して有効な状態にすることを特徴とするメモリーカードホスト装置と不揮発性メモリーカードとの間のデータ伝送方法。
【発明の詳細な説明】
【技術分野】
【０００１】
本発明は、不揮発性メモリーカード、及び不揮発性メモリーカードと共に利用する形状変換アダプタに関する。
【背景技術】
【０００２】
携帯電話やデジタルカメラ等の携帯型デジタル機器、及びパーソナルコンピュータやプリンタ等の卓上型デジタル機器における記憶媒体として、様々な不揮発性小型メモリーカードが利用されている。代表的なものとして、マルチメディアカード（Ｍｕｌｔｉ  Ｍｅｄｉａ  Ｃａｒｄ（登録商標））、ＳＤカード（ＳＤ  Ｃａｒｄ（登録商標））、ｍｉｎｉＳＤカード（ｍｉｎｉＳＤ  ｃａｒｄ（登録商標））、エックスディピクチャーカード（ｘＤ−Ｐｉｃｔｕｒｅ  Ｃａｒｄ（登録商標））、メモリースティック（ＭｅｍｏｒｙＳｔｉｃｋ（登録商標））、コンパクトフラッシュ（登録商標）（Ｃｏｍｐａｃｔ  Ｆｌａｓｈ（登録商標））、マイクロＳＤ（ｍｉｃｒｏＳＤ（登録商標））、トランスフラッシュ（ＴｒａｎｓＦｌａｓｈ（登録商標））、メモリースティックプロ（ＭｅｍｏｒｙＳｔｉｃｋＰｒｏ（登録商標））、メモリースティックデュオ（ＭｅｍｏｒｙＳｔｉｃｋＤｕｏ（登録商標））、メモリースティックプロデュオ（ＭｅｍｏｒｙＳｔｉｃｋＰｒｏＤｕｏ（登録商標））などが挙げられる。
【０００３】
上記の不揮発性メモリーカードは、制御方法、通信方法、電気的特性、若しくはカード挿入台形状において相互に互換性がない。例えば、ある種類（ある規格）の不揮発性メモリーカードは、別の種類（規格）の不揮発性メモリーカードのために用意されたカード挿入台で使用できない。
【０００４】
図１１は、従来の不揮発性メモリーカード１０２及びメモリーカードホスト装置１０６の概略の構成を示すブロック図である。図１１で示されるように、従来の不揮発性メモリーカード１０２は、１種類のメモリーカードコントローラ１１２しか備えていない。一つの規格の不揮発性メモリーカードコントローラ１１２は、規格が異なるメモリーカードホストコントローラ１１０との互換性はない。
【０００５】
また、図１１に示されるように、一つの規格のメモリーカードホストコントローラ１１０に接続するカード挿入台１０８は、適合する形状の不揮発性メモリーカード１０２のみが挿入されるように構成されている。不揮発性メモリーカード１０２の規格と、メモリーカードホストコントローラ１１０に接続するカード挿入台１０８の規格とが異なれば、不揮発性メモリーカード１０２をカード挿入台１０８に挿入することはできない。
【０００６】
ある規格の不揮発性メモリーカード１０２を異なる規格のメモリーカードホスト装置１０６に接続させるための形状変換アダプタが、いくつか開発されている。ただし、一つの種類の形状変換アダプタは、メモリーカードホスト装置１０６と不揮発性メモリーカード１０２との間の一つの組み合わせの接続を実現するに過ぎない。つまり、メモリーカードホスト装置１０６と不揮発性メモリーカード１０２との組み合わせの数だけ形状変換アダプタが準備されなければ、現状の形状変換アダプタは実効性に欠けるともいえる。
【０００７】
特許文献１、特許文献２、及び特許文献３に開示される発明は、形状変換アダプタを利用する。これらの形状変換アダプタは、それ自体に不揮発性メモリーカードコントローラは搭載されておらず、不揮発性メモリーカード内の不揮発性メモリーカードコントローラを切り替えるスイッチも搭載されていない。特許文献４、特許文献５、及び特許文献６に開示される発明では、不揮発性メモリーカードホストコントローラにデータ伝送方式変換器が搭載されており、形状変換アダプタは使用されていない。特許文献７に開示される発明では、形状変換アダプタが使用されており、データ伝送方式変換器を搭載している。
【特許文献１】特開２００２−０３２７１５公報
【特許文献２】実用新案登録第３０９４２６３号公報
【特許文献３】特開２００３−１９６６０３公報
【特許文献４】特開２００２−７３５２２公報
【特許文献５】特開２００３−１８６５８２公報
【特許文献６】特開２００４−１１０２５５公報
【特許文献７】実用新案登録第３０９１９１０号公報
【発明の開示】
【発明が解決しようとする課題】
【０００８】
本発明は、規格の異なる多種類のメモリーカードホストコントローラに対応できる不揮発性メモリーカードを提供することを目的とする。
【課題を解決するための手段】
【０００９】
本発明は上記の目的を達成するためになされたものである。本発明に係る不揮発性メモ
リーカードは、
２つ以上の異なる規格のメモリーカードコントローラと、
有効な状態であるメモリーカードコントローラの制御により外部の装置からデータを読
み込まれ若しくは書き込まれる不揮発性メモリーとを含み、
外からの切り替えによりメモリーカードコントローラのうちの一つを有効な状態にするメモリーカードコントローラ切替スイッチと、
データ伝送を解析することにより、メモリーカードコントローラのうちの一つを有効な
状態にするメモリーカードコントローラ切替回路とのうち、どちらか若しくは両方を備える不揮発性メモリーカードである。
【発明の効果】
【００１０】
本発明を利用することにより、メモリーカードホスト装置が異なるものになったとしても、ひとつの不揮発性メモリーカードをそのまま利用し続けられる。
【発明を実施するための最良の形態】
【００１１】
以下、図面を参照して本発明の好適な形態を説明する。
【００１２】
［第１の実施形態］
図１は、本発明の第１の実施形態に係る不揮発性メモリーカード２、形状変換アダプタ４、及びメモリーカードホスト装置６のブロック図である。メモリーカードホスト装置６は、例えば、従来の携帯電話やパーソナルコンピュータであり、不揮発性メモリーカード２を記憶媒体として利用する。メモリーカードホスト装置６には、不揮発性メモリーカード２とのデータの伝送を制御するメモリーカードホストコントローラ１０と、メモリーカード使用時にメモリーカードを挿入するカード挿入台８とが備わる。
【００１３】
形状変換アダプタ４は、メモリーカードホスト装置６及びカード挿入台８が予定する規格と、不揮発性メモリーカード２が備える規格とが異なる場合に、メモリーカードホスト装置６と不揮発性メモリーカード４との接続を媒介する装置である。従って、不揮発性メモリーカード２を形状変換アダプタ４内に挿入し、その形状変換アダプタ４をカード挿入台８に挿入すれば、メモリーカードホスト装置６は記憶媒体として不揮発性メモリーカード２を利用できる。
【００１４】
第１の実施形態に係る不揮発性メモリーカード２は、不揮発性メモリーカード基板上に２つ以上の（但し、図１では２つの）メモリーカードコントローラ１２−（１）、１２−（２）と、不揮発性メモリー１４を備える。メモリーカードコントローラは、接続が想定されるメモリーカードホスト装置６の規格の種類に対応して装備される必要がある。
【００１５】
メモリーカードホスト装置６と不揮発性メモリーカード２とがデータ伝送を行うときには、後で説明するように２つ以上のメモリーカードコントローラ１２−（１）、１２−（２）から一つの適切なメモリーカードコントローラが選択され、選択されたメモリーカードコントローラが動作する。適切なメモリーカードコントローラは、不揮発性メモリーカード２に備わるメモリーカードコントローラ切替スイッチ１８の動作によって選択される。メモリーカードコントローラ切替スイッチ１８は、電気的若しくは物理的な外部端子、又は切替スイッチであればよい。
【００１６】
第１の実施形態に係る形状変換アダプタ４は、メモリーカードタイプ切替スイッチ１６を備える。メモリーカードタイプ切替スイッチ１６は、形状変換アダプタ上の電気的若しくは物理的な外部端子、又は切替スイッチであればよい。メモリーカードタイプ切替スイッチ１６は、挿入される不揮発性メモリーカード２のメモリーカードコントローラ切替スイッチ１８の制御を行う。
【００１７】
第１の実施形態に係る不揮発性メモリーカード２が第１の実施形態に係る形状変換アダプタ４に挿入され、その形状変換アダプタ４がメモリーカードホスト装置６に挿入されると、まず、形状変換アダプタ４のメモリーカードタイプ切替スイッチ１６が、不揮発性メモリーカード２のメモリーカードコントローラ切替スイッチ１８の制御を行う。メモリーカードタイプ切替スイッチ１６に制御されて、メモリーカードコントローラ切替スイッチ１８は、２つ以上あるメモリーカードコントローラのうちから１つのものを選択するように動作する。メモリーカードホスト装置６のメモリーカードホストコントローラ１０は、選択された適切なメモリーカードコントローラ１２によって、不揮発性メモリーカード２の不揮発性メモリー１４にデータを書き込み、又は不揮発性メモリー１４からデータを読み取る。
【００１８】
要するに、形状変換アダプタ４のメモリーカードタイプ切替スイッチ１６が、不揮発性メモリーカード４の中の適切なメモリーカードコントローラ１２を決定することになる。
【００１９】
図２は、本発明の第１の実施形態に係る不揮発性メモリーカード２’の具体例のブロック図である。この不揮発性メモリーカード２’の具体例は、マルチメディアカード・メモリースティック・ＳＤカード対応ｍｉｎｉＳＤ型不揮発性メモリーカードである。つまり、この不揮発性メモリーカード２’の外形はｍｉｎｉＳＤの形状であるが、不揮発性メモリーカード２’は、メモリーカードホスト装置６の規格がマルチメディアカード、メモリースティック、ＳＤカード又はｍｉｎｉＳＤのいずれかであることを予定しているものである。外形上の形状が、ｍｉｎｉＳＤと同一であるため、マルチメディアカード、メモリースティック、若しくはＳＤカードのいずれかの規格を備えるホスト装置が、不揮発性メモリーカード２’を接続する場合には、両者の組み合わせに適合する形状変換アダプタを利用する。
【００２０】
図２に示される不揮発性メモリーカード２’は、マルチメディアカード対応メモリーカードコントローラ１２ａ、メモリースティック対応メモリーカードコントローラ１２ｂ、及びＳＤカード対応メモリーカードコントローラ１２ｃを備える。マルチメディアカード切替スイッチ１８ａ及びメモリースティック切替スイッチ１８ｂは、電気的若しくは物理的な外部端子、又は切替スイッチであり、未使用時にはスイッチが「開いた状態」になっている。
【００２１】
マルチメディアカード切替スイッチ１８ａ及びメモリースティック切替スイッチ１８ｂは、マルチメディアカードの規格を備えるホスト装置用、又はメモリースティックの規格を備えるホスト装置用に準備される、形状変換アダプタ４上のメモリーカードタイプ切替スイッチ１６によって制御される。
【００２２】
後で詳しく説明するように、メモリーカードタイプ切替スイッチ１６の制御により、マルチメディアカード切替スイッチ１８ａが「閉じた状態」でメモリースティック切替スイッチ１８ｂが「開いた状態」となっている場合、マルチメディアカード対応メモリーカードコントローラ１２ａが選択され有効な状態とされるようになっている。メモリーカードタイプ切替スイッチ１６の制御により、メモリースティック切替スイッチ１８ｂが「閉じた状態」でマルチメディアカード切替スイッチ１８ａが「開いた状態」となっている場合、メモリースティック対応メモリーカードコントローラ１２ｂが選択され有効な状態とされるようになっている。マルチメディアカード切替スイッチ１８ａ及びメモリースティック切替スイッチ１８ｂのいずれもが「閉じた状態」、若しくはいずれもが「開いた状態」である場合、ＳＤカード対応メモリーカードコントローラ１２ｃが選択され有効な状態とされるようになっている。
【００２３】
有効な状態となった１つのメモリーカードコントローラ１２と、そのメモリーカードコントローラに対応するメモリーカードホスト装置６のホストコントローラ１０間とのデータ伝送が、メモリーカードインターフェース２０を経由して行われる。従って、マルチメディアカード切替スイッチ１８ａとメモリースティック切替スイッチ１８ｂとの設定により有効な状態となった１つのメモリーカードコントローラ１２を介して、不揮発性メモリー１４へのデータの読み出し・書き込みが行なわれる。
【００２４】
図３は、図２に示される本発明の第１の実施形態に係る不揮発性メモリーカード２’を、ｍｉｎｉＳＤ−マルチメディアカード形状変換アダプタ４ａに挿入し、更にマルチメディアカードの規格を備えるメモリーカードホスト装置（マルチメディアカードホスト装置６ａ）に挿入して利用する場合の、全体のブロック図である。
【００２５】
不揮発性メモリーカード２’が、ｍｉｎｉＳＤ−マルチメディアカード形状変換アダプタ４ａに挿入されると、ｍｉｎｉＳＤ−マルチメディアカード形状変換アダプタ４ａに備わるｍｉｎｉＳＤ−マルチメディアカードタイプ切替スイッチ１６ａが、不揮発性メモリーカード２’上のマルチメディアカード切替スイッチ１８ａと電気的若しくは物理的に接触する。そうすると、メモリースティック切替スイッチ１８ｂは「開いた状態」のままであるが、マルチメディアカード切替スイッチ１８ａのみが「閉じた状態」となる。
【００２６】
メモリースティック切替スイッチ１８ｂは「開いた状態」であり、マルチメディアカード切替スイッチ１８ａが「閉じた状態」であるため、不揮発性メモリーカード２’内のマルチメディアカード対応メモリーカードコントローラ１２ａが選択される。
【００２７】
従って、ｍｉｎｉＳＤ−マルチメディアカード形状変換アダプタ４ａに挿入された不揮発性メモリーカード２’は、制御方法、通信方法、電気的特性、及びカード形状においてマルチメディアカードと互換性を有することになる。このことから、不揮発性メモリーカード２’と、マルチメディアカード挿入台８ａを有するマルチメディアカードホスト装置６ａのマルチメディアカードホストコントローラ１０ａとの間で、マルチメディアカードインターフェース２０ａを介するデータ伝送が可能となる。
【００２８】
図４は、図２に示される本発明の第１の実施形態に係る不揮発性メモリーカード２’を、ｍｉｎｉＳＤ−メモリースティック形状変換アダプタ４ｂに挿入し、更にメモリースティックの規格を備えるメモリーカードホスト装置（メモリースティックホスト装置６ｂ）に挿入して利用する場合の、全体のブロック図である。
【００２９】
不揮発性メモリーカード２’が、ｍｉｎｉＳＤ−メモリースティック形状変換アダプタ４ｂに挿入されると、ｍｉｎｉＳＤ−メモリースティック形状変換アダプタ４ｂに備わるｍｉｎｉＳＤ−メモリースティックタイプ切替スイッチ１６ｂが、不揮発性メモリーカード２’上のメモリースティック切替スイッチ１８ｂと電気的若しくは物理的に接触する。そうすると、マルチメディアカード切替スイッチ１８ａは「開いた状態」のままであるが、メモリースティック切替スイッチ１８ｂのみが「閉じた状態」となる。
【００３０】
マルチメディアカード切替スイッチ１８ａは「開いた状態」であり、メモリースティック切替スイッチ１８ｂが「閉じた状態」であるため、不揮発性メモリーカード２’内のメモリースティック対応メモリーカードコントローラ１２ｂが選択される。
【００３１】
従って、ｍｉｎｉＳＤ−メモリースティック形状変換アダプタ４ｂに挿入された不揮発性メモリーカード２’は、制御方法、通信方法、電気的特性、及びカード形状においてメモリースティックと互換性を有することになる。このことから、不揮発性メモリーカード２’と、メモリースティック挿入台８ｂを有するメモリースティックホスト装置６ｂのメモリースティックホストコントローラ１０ｂとの間で、メモリースティックインターフェース２０ｂを介するデータ伝送が可能となる。
【００３２】
図５は、図２に示される本発明の第１の実施形態に係る不揮発性メモリーカード２’を、ｍｉｎｉＳＤ−ＳＤカード形状変換アダプタ４ｃに挿入し、更にＳＤカードの規格を備えるメモリーカードホスト装置（ＳＤカードホスト装置６ｃ）に挿入して利用する場合の、全体のブロック図である。
【００３３】
ｍｉｎｉＳＤ−ＳＤカード形状変換アダプタ４ｃ上には、不揮発性メモリーカード２’がｍｉｎｉＳＤ−ＳＤカード形状変換アダプタ４ｃに挿入されたときに、不揮発性メモリーカード２’上のマルチメディアカード切替スイッチ１８ａ若しくはメモリースティック切替スイッチ１８ｂと電気的若しくは物理的に接触するスイッチがない。そのため、不揮発性メモリーカード２’がｍｉｎｉＳＤ−ＳＤカード形状変換アダプタ４ｃに挿入されても、マルチメディアカード切替スイッチ１８ａ及びメモリースティック切替スイッチ１８ｂのいずれもが「開いた状態」のままとなっている。
【００３４】
マルチメディアカード切替スイッチ１８ａ及びメモリースティック切替スイッチ１８ｂが、共に「開いた状態」であるため、不揮発性メモリーカード２’内のＳＤカード対応メモリーカードコントローラ１２ｃが選択される。
【００３５】
従って、ｍｉｎｉＳＤ−ＳＤカード形状変換アダプタ４ｃに挿入された不揮発性メモリーカード２’は、制御方法、通信方法、電気的特性、及びカード形状においてＳＤカードと互換性を有することになる。このことから、不揮発性メモリーカード２’と、ＳＤカード挿入台８ｃを有するＳＤカードホスト装置６ｃのＳＤカードホストコントローラ１０ｃとの間で、ＳＤカードインターフェース２０ｃを介するデータ伝送が可能となる。
【００３６】
図６は、図２に示される本発明の第１の実施形態に係る不揮発性メモリーカード２’を、形状変換アダプタを介さずに、ＳＤカードに対応するメモリーカードホスト装置（ｍｉｎｉＳＤカードホスト装置６ｃ’）に挿入して利用する場合の、全体のブロック図である。不揮発性メモリーカード２’は、外形上の形状がｍｉｎｉＳＤと同様に形成されている。従ってＳＤカードホスト装置６ｃ’がｍｉｎｉＳＤカードのためのｍｉｎｉＳＤカード挿入台８ｃ’を備えていれば、不揮発性メモリーカード２’は直接、ＳＤカードホスト装置６ｃ’と接続する。
【００３７】
不揮発性メモリーカード２’は形状変換アダプタに挿入されないため、マルチメディアカード切替スイッチ１８ａ及びメモリースティック切替スイッチ１８ｂは、何らのスイッチとも接触しない。そのため、マルチメディアカード切替スイッチ１８ａ及びメモリースティック切替スイッチ１８ｂのいずれもが「開いた状態」のままとなっている。
【００３８】
マルチメディアカード切替スイッチ１８ａ及びメモリースティック切替スイッチ１８ｂが、共に「開いた状態」であるため、不揮発性メモリーカード２’内のＳＤカード対応メモリーカードコントローラ１２ｃが選択される。
【００３９】
従って、形状変換アダプタに挿入されていない不揮発性メモリーカード２’は、制御方法、通信方法、電気的特性、及びカード形状においてｍｉｎｉＳＤカードと互換性を有することになる。このことから、不揮発性メモリーカード２’と、ｍｉｎｉＳＤカード挿入台８ｃ’を有するｍｉｎｉＳＤカードホスト装置６ｃ’のＳＤカードホストコントローラ１０ｃとの間で、ＳＤカードインターフェース２０ｃ’を介するデータ伝送が可能となる。
【００４０】
［第２の実施形態］
図７は、本発明の第２の実施形態に係る不揮発性メモリーカード５２、及びメモリーカードホスト装置５６のブロック図である。メモリーカードホスト装置５６は、例えば、従来の携帯電話やパーソナルコンピュータであり、不揮発性メモリーカード５２を記憶媒体として利用する。メモリーカードホスト装置５６には、不揮発性メモリーカード５２とのデータの伝送を制御するメモリーカードホストコントローラ６０と、メモリーカード使用時にメモリーカードを挿入するカード挿入台５８が備わる。
【００４１】
既述の第１の実施形態では、不揮発性メモリーカード２とメモリーカード挿入台８との間の接続に、必要に応じて形状変換アダプタ４が利用される。一方、本発明の第２の実施形態では、不揮発性メモリーカード５２内部にメモリーカードコントローラ切替回路７２が搭載される。そのため、不揮発性メモリーカード５２は必ずしも（第１の実施形態で示した）メモリーカードコントローラ切替スイッチを搭載している必要がない。従って、不揮発性メモリーカード５２の備える形状及び端子配置が、メモリーカードホスト装置５６の予定するカード形状及び端子配置と、互換性があるものとなっていてもよい。このとき第２の実施形態における不揮発性メモリーカード５２が、形状変換アダプタを介さずにカード挿入台５８に接続するものであってもよい。
【００４２】
第２の実施形態に係るメモリーカードコントローラ切替回路７２を搭載する不揮発性メモリーカードの例として、マルチメディアカードの規格とＳＤカードの規格とを備える不揮発性メモリーカードが挙げられる。この不揮発性メモリーカードが、マルチメディアカードホスト装置のカード挿入台に挿入された場合には、不揮発性メモリーカード内のメモリーカードコントローラ切替回路がデータ信号を解析して、不揮発性メモリーカード内部のマルチメディアカードコントローラを選択する。この不揮発性メモリーカードが、ＳＤカードホスト装置のカード挿入台に挿入された場合には、不揮発性メモリーカード内のメモリーカードコントローラ切替回路がデータ信号を解析して、不揮発性メモリーカード内部のＳＤカードコントローラを選択する。
【００４３】
再び図７により第２の実施形態を説明する。第２の実施形態に係る不揮発性メモリーカード５２は、不揮発性メモリーカード基板上にインターフェースコントローラ７０、メモリーカードコントローラ切替回路７２、及び２つ以上の（但し、図７では２つの）メモリーカードコントローラ６２−（１）、６２−（２）を備える。インターフェースコントローラ７０は、後で説明する手順に従い、メモリーカードホスト装置５６のメモリーカードホストコントローラ６０から伝送されたデータから、メモリーカードホストコントローラ６０の仕様を解析する。インターフェースコントローラ７０は、解析結果に基づいてメモリーカードコントローラ切替回路７２に対する切替制御信号を生成する。メモリーカードコントローラ切替回路７２は、切替制御信号により２つ以上あるメモリーカードコントローラから適切な１つを選択する。
【００４４】
また、第２の実施形態に係る不揮発性メモリーカード２が、メモリーカードコントローラ切替スイッチ６８を有していてもよい。メモリーカードコントローラ切替スイッチ６８は、不揮発性メモリーカード基板上に備わる電気的若しくは物理的な外部端子、又は切替スイッチである。後で説明する手順のように、メモリーカードコントローラ切替スイッチ６８の切替により、２つ以上あるメモリーカードコントローラから有効とすべき１つが選択される。
【００４５】
選択され有効な状態とされた１つのメモリーカードコントローラと、そのメモリーカードコントローラに対応するメモリーカードホスト装置５６のホストコントローラ６０との間のデータ伝送が、インターフェースコントローラ７０を経由して行われる。従って、メモリーカードコントローラ切替回路７２若しくはメモリーカードコントローラ切替スイッチ６８の設定により有効な状態とされた１つのメモリーカードコントローラを介して、不揮発性メモリー６４へのデータの読み出し・書き込みが行われる。
【００４６】
次に、不揮発性メモリーカード５２が適切なメモリーカードコントローラを選択する手順のフローチャートの例を示す。図８は、メモリーカードコントローラ切替スイッチ６８のみに基づいて選択するフローチャートである。まず、メモリーカードコントローラ切替スイッチ６８が外部から操作（切替）される（ステップＳ０２）。スイッチの状態から使用すべきメモリーカードコントローラがどれであるか判断される（ステップＳ０４）。Ｓ０４にて、メモリーカードコントローラ（１）と判断されればメモリーカードコントローラ（１）が選択される（Ｓ０６）。Ｓ０４にて、メモリーカードコントローラ（２）と判断されればメモリーカードコントローラ（２）が選択される（Ｓ０８）。
【００４７】
図９は、インターフェースコントローラ７０の信号のみに基づいて選択するフローチャートである。まず、メモリーカードホストコントローラ６０からメモリーカード５２へのアクセス信号が生じる（ステップＳ１２）。インターフェースコントローラ７０はアクセス信号におけるデータ転送手順を解析する（ステップＳ１４）。この解析に基づきインターフェースコントローラ７０は、使用すべきメモリーカードコントローラがどれであるか判断する（ステップＳ１６）。Ｓ１６にて、メモリーカードコントローラ（１）と判断されれば、メモリーカードコントローラ切替回路７２がメモリーカードコントローラ（１）を選択する（Ｓ１８）。Ｓ１６にて、メモリーカードコントローラ（２）と判断されれば、メモリーカードコントローラ切替回路７２がメモリーカードコントローラ（２）を選択する（Ｓ２０）。
【００４８】
図１０は、インターフェースコントローラ７０の信号、及びメモリーカードコントローラ切替スイッチ６８に基づいて選択するフローチャートの例である。まず、メモリーカードホストコントローラ６０からメモリーカード５２へのアクセス信号が生じる（ステップＳ３２）。インターフェースコントローラ７０はアクセス信号におけるデータ転送手順を解析する（ステップＳ３４）。この解析に基づきインターフェースコントローラ７０は、使用すべきメモリーカードコントローラがどれであるか判断する（ステップＳ３６）。Ｓ３６にて、メモリーカードコントローラ（１）と判断されれば、メモリーカードコントローラ切替回路７２がメモリーカードコントローラ（１）を選択する（Ｓ３８）。Ｓ３６にて、メモリーカードコントローラ（２）と判断されれば、メモリーカードコントローラ切替回路７２がメモリーカードコントローラ（２）を選択する（Ｓ４０）。Ｓ３６にて、いずれのメモリーカードコントローラでもないと判断された場合、スイッチの状態から使用すべきメモリーカードコントローラがどれであるか判断される（ステップＳ４２）。Ｓ４２にて、メモリーカードコントローラ（１）と判断されればメモリーカードコントローラ（１）が選択される（Ｓ４４）。Ｓ４２にて、メモリーカードコントローラ（２）と判断されればメモリーカードコントローラ（２）が選択される（Ｓ４６）。
【００４９】
上記の図１０のフローチャートでは、まず、インターフェースコントローラ７０での信号解析に基づき選択すべきメモリーカードコントローラを決定しようとし、それで決定しない場合に補充的にメモリーカードコントローラ切替スイッチ６８の状態が参照される、というロジックになっている。ここで、まず、メモリーカードコントローラ切替スイッチ６８の状態に基づき選択すべきメモリーカードコントローラを決定しようとし、それで決定しない場合に補充的にインターフェースコントローラ７０での信号解析が参照される、というロジックが、適切なメモリーカードコントローラを選択する手順のフローチャートで利用されても構わない。
【図面の簡単な説明】
【００５０】
【図１】本発明の第１の実施形態に係る不揮発性メモリーカード、形状変換アダプタ、及びメモリーカードホスト装置のブロック図である。
【図２】本発明の第１の実施形態に係る不揮発性メモリーカードの具体例のブロック図である。
【図３】図２に示される本発明の第１の実施形態に係る不揮発性メモリーカードを、ｍｉｎｉＳＤ−マルチメディアカード形状変換アダプタに挿入し、更にマルチメディアカードに対応するメモリーカードホスト装置（マルチメディアカードホスト装置）に挿入して利用する場合の、全体のブロック図である。
【図４】図２に示される本発明の第１の実施形態に係る不揮発性メモリーカードを、ｍｉｎｉＳＤ−メモリースティック形状変換アダプタに挿入し、更にメモリースティックに対応するメモリーカードホスト装置（メモリースティックホスト装置）に挿入して利用する場合の、全体のブロック図である。
【図５】図２に示される本発明の第１の実施形態に係る不揮発性メモリーカードを、ｍｉｎｉＳＤ−ＳＤカード形状変換アダプタに挿入し、更にＳＤカードに対応するメモリーカードホスト装置（ＳＤカードホスト装置）に挿入して利用する場合の、全体のブロック図である。
【図６】図２に示される本発明の第１の実施形態に係る不揮発性メモリーカードを、形状変換アダプタを介さずに、ＳＤカードに対応するメモリーカードホスト装置（ｍｉｎｉＳＤカードホスト装置）に挿入して利用する場合の、全体のブロック図である。
【図７】本発明の第２の実施形態に係る不揮発性メモリーカード、及びメモリーカードホスト装置のブロック図である。
【図８】本発明の第２の実施形態において、不揮発性メモリーカードが適切なメモリーカードコントローラを選択する手順のフローチャートの例であり、メモリーカードコントローラ切替スイッチのみに基づいて選択するフローチャートである。
【図９】本発明の第２の実施形態において、不揮発性メモリーカードが適切なメモリーカードコントローラを選択する手順のフローチャートの例であり、インターフェースコントローラの信号のみに基づいて選択するフローチャートである。
【図１０】本発明の第２の実施形態において、不揮発性メモリーカードが適切なメモリーカードコントローラを選択する手順のフローチャートの例であり、インターフェースコントローラの信号及びメモリーカードコントローラ切替スイッチに基づいて選択するフローチャートの例である。
【図１１】従来の不揮発性メモリーカード及びメモリーカードホスト装置の概略の構成を示すブロック図である。
【符号の説明】
【００５１】
２・・・不揮発性メモリーカード、４・・・形状変換アダプタ、６・・・メモリーカードホストコントローラ、８・・・カード挿入台、１０・・・メモリーカードホストコントローラ、１２・・・メモリーカードコントローラ、１４・・・不揮発性メモリーカード、１６・・・メモリーカードタイプ切替スイッチ、１８・・・メモリーカードコントローラ切替スイッチ。
【図１】
2006268459.tif 000003
【図２】
2006268459.tif 000004
【図３】
2006268459.tif 000005
【図４】
2006268459.tif 000006
【図５】
2006268459.tif 000007
【図６】
2006268459.tif 000008
【図７】
2006268459.tif 000009
【図８】
2006268459.tif 000010
【図９】
2006268459.tif 000011
【図１０】
2006268459.tif 000012
【図１１】
2006268459.tif 000013